(57)【要約】【課題】所定の印刷物を読み取らせることにより、ユーザの意図通りにプリンタドライバの初期設定値（印刷条件）を入力設定できるようにすると共に、誤入力を抑制する。【解決手段】ＭＦＰ２は、プリンタドライバ１４ａがインストールされた管理者ＰＣ１とネットワーク４を介して接続され、プリンタドライバ１４ａにより制御される。ＭＦＰ２は、所定の印刷物を光学的に読み取って画像データを入力する画像読取部２９と、入力した画像データから印刷物を印刷したときの印刷設定値を判定する印刷設定値判定手段と、判定した印刷設定値をプリンタドライバ１４ａの初期設定値として入力する初期設定値入力手段とを備える。初期設定値入力手段は、印刷物を読み取って取得した印刷設定値を、プリンタドライバ１４ａの初期設定値として、プリンタドライバ１４ａの初期設定値入力画面に設定し、初期設定値入力画面に設定した初期設定値をユーザにより変更可能とする。【選択図】図２
2010284802.tif 000002
【特許請求の範囲】
【請求項１】
プリンタドライバがインストールされた情報処理装置とネットワークを介して接続可能であって、前記プリンタドライバにより制御される画像形成装置において、
所定の印刷物を光学的に読み取って画像データを入力する画像読取手段と、該入力した画像データから前記印刷物を印刷したときの印刷設定値を判定する印刷設定値判定手段と、該判定した印刷設定値を前記プリンタドライバの初期設定値として入力する初期設定値入力手段とを備えたことを特徴とする画像形成装置。
【請求項２】
請求項１に記載の画像形成装置において、前記印刷設定値判定手段で判定した印刷設定値は、前記画像形成装置の設定値として設定されることを特徴とする画像形成装置。
【請求項３】
請求項１に記載の画像形成装置において、前記初期設定値入力手段は、前記印刷設定値判定手段で判定した印刷設定値を、前記プリンタドライバの初期設定値入力画面に設定し、該初期設定値入力画面に設定した初期設定値をユーザにより変更可能としたことを特徴とする画像形成装置。
【請求項４】
請求項１〜３のいずれか１項に記載の画像形成装置において、前記印刷設定値判定手段は、前記印刷物を印刷したときの印刷設定値として、用紙サイズ、白黒又はカラー、集約印刷、片面又は両面の各設定値の少なくとも１つ以上を判定することを特徴とする画像形成装置。
【請求項５】
請求項３又は４に記載の画像形成装置において、ユーザにより変更される前又は変更された後の初期設定値に基づくプレビュー画像を前記プリンタドライバの初期設定値入力画面上で表示可能としたことを特徴とする画像形成装置。
【請求項６】
請求項３又は４に記載の画像形成装置において、ユーザにより変更される前又は変更された後の初期設定値に基づくテスト印刷を前記プリンタドライバの初期設定値入力画面上で実行可能としたことを特徴とする画像形成装置。
【請求項７】
請求項１〜６のいずれか１項に記載の画像形成装置において、前記初期設定値入力手段により入力された前記プリンタドライバの初期設定値を記憶する記憶手段を備えたことを特徴とする画像形成装置。
【請求項８】
プリンタドライバがインストールされた情報処理装置と、該プリンタドライバにより制御される画像形成装置とがネットワークを介して接続された画像形成システムであって、
前記画像形成装置は、所定の印刷物を光学的に読み取って画像データを入力する画像読取手段と、該入力した画像データから前記印刷物を印刷したときの印刷設定値を判定する印刷設定値判定手段と、該判定した印刷設定値を前記プリンタドライバの初期設定値として入力する初期設定値入力手段とを備えたことを特徴とする画像形成システム。
【発明の詳細な説明】
【技術分野】
【０００１】
本発明は、画像形成装置及び画像形成システムに関し、より詳細には、プリンタドライバの初期設定値を入力設定可能な画像形成装置及び画像形成システムに関する。
【背景技術】
【０００２】
近年、環境問題の対応として、ＣＯ２排出量を削減する活動が普及し、印刷量を減少させるために電子メール等を用いた電子ファイルによる配信や、電子ファイリングが増加しているが、企業等において記録紙への印刷をゼロにすることは現実的に難しい。そこで、企業等においては、印刷する記録紙の枚数を減少させる所謂エコ印刷を行うことで、記録紙、トナー、及び印刷時の消費電力などを低減させる努力が行われている。具体的には、例えば、カラー印刷、片面印刷、記録紙１枚に１頁を印刷する１ｉｎ１（１−ｕｐ）を、それぞれ白黒印刷、両面印刷、記録紙１枚に複数頁を集約印刷するＮｉｎ１（Ｎ−ｕｐ：Ｎは２以上）に切り換えることで、上記のようなエコ印刷を行うことができる。
【０００３】
例えば、プリンタ機能、コピー機能を備えたＭＦＰ（デジタル複合機）等でコピーを行う場合には、システム管理者等が、Ｎｉｎ１コピーや両面コピーなどの環境に配慮したコピー条件を初期設定値として予め設定しておけば、ユーザがコピーの度に意図的にコピー条件を変更しない限り、初期設定値のコピー条件でコピーを実行させることができる。このためエコ印刷を比較的容易に行うことができる。
【０００４】
しかし、ユーザが使用するＰＣ（パーソナルコンピュータ）などから、ＭＦＰに印刷データを送信し、ＭＦＰで印刷を行う場合には、ＰＣにインストールされたプリンタドライバの印刷条件を、エコ印刷の条件に設定変更する必要があるが、複数のＰＣがネットワークを介してＭＦＰに接続されている場合には、複数のＰＣそれぞれのプリンタドライバの印刷条件を変更しなければならず、変更処理に手間がかかるという問題があった。
【０００５】
また、ＰＣへのプリンタドライバのインストールはユーザによって随時行われるため、ＭＦＰの管理者であっても、プリンタドライバがインストールされた全てのＰＣを把握することは難しく、全てのＰＣのプリンタドライバの印刷条件を変更することは困難であった。
【０００６】
これに対して、例えば、特許文献１には、管理者等により予め印刷条件が設定されたプリンタドライバの初期設定値をＷｅｂ機能によってダウンロードしてプリンタドライバに組み込めるようにし、複数のＰＣ間でプリンタドライバの印刷条件を共有できるようにした印刷設定共有化支援装置が記載されている。
【０００７】
また、特許文献２，３には、コピー条件の入力作業を容易にするために、コピーを行う際に、コピー条件を指示するためのマーク等が記載されたジョブシートを読み取ることで、マーク等に応じたコピー条件を入力可能とした複写機が記載されている。
【先行技術文献】
【特許文献】
【０００８】
【特許文献１】特開２００５−３３２１００号公報
【特許文献２】特開昭６３−９６６７３号公報
【特許文献３】特開平１−１８８８６７号公報
【発明の概要】
【発明が解決しようとする課題】
【０００９】
上記特許文献１に記載の技術の場合、プリンタドライバの初期設定値の入力は、システム管理者等のユーザが自身のＰＣから印刷設定共有化支援装置に対して行われるが、不慣れなユーザなどは初期設定値として入力すべき印刷条件がわからないため、初期設定値の入力設定に手間がかかったり、誤って不適切な初期設定値を入力してしまったりといった問題があった。
【００１０】
また、上記特許文献２，３に記載のジョブシートを利用して、プリンタドライバの初期設定値を入力する場合、このジョブシートには、印刷枚数等の印刷条件に対応したマーク、コード、あるいはパターンが付加されているだけなので、ユーザからすると、ジョブシートによりどのような印刷条件が設定されるのか一見して分からないという問題があった。このためユーザは意図しない印刷条件をプリンタドライバの初期設定値として入力設定してしまう恐れがあった。
【００１１】
本発明は、上述のごとき実情に鑑みてなされたものであり、所定の印刷物を読み取らせることにより、ユーザの意図通りにプリンタドライバの初期設定値（印刷条件）を入力設定できるようにすると共に、誤入力を抑制することができる画像形成装置及び画像形成システムを提供すること、を目的とする。
【課題を解決するための手段】
【００１２】
上記課題を解決するために、第１の技術手段は、プリンタドライバがインストールされた情報処理装置とネットワークを介して接続可能であって、前記プリンタドライバにより制御される画像形成装置において、所定の印刷物を光学的に読み取って画像データを入力する画像読取手段と、該入力した画像データから前記印刷物を印刷したときの印刷設定値を判定する印刷設定値判定手段と、該判定した印刷設定値を前記プリンタドライバの初期設定値として入力する初期設定値入力手段とを備えたことを特徴としたものである。
【００１３】
第２の技術手段は、第１の技術手段において、前記印刷設定値判定手段で判定した印刷設定値は、前記画像形成装置の設定値として設定されることを特徴としたものである。
【００１４】
第３の技術手段は、第１の技術手段において、前記初期設定値入力手段は、前記印刷設定値判定手段で判定した印刷設定値を、前記プリンタドライバの初期設定値入力画面に設定し、該初期設定値入力画面に設定した初期設定値をユーザにより変更可能としたことを特徴としたものである。
【００１５】
第４の技術手段は、第１〜第３のいずれか１の技術手段において、前記印刷設定値判定手段は、前記印刷物を印刷したときの印刷設定値として、用紙サイズ、白黒又はカラー、集約印刷、片面又は両面の各設定値の少なくとも１つ以上を判定することを特徴としたものである。
【００１６】
第５の技術手段は、第３又は第４の技術手段において、ユーザにより変更される前又は変更された後の初期設定値に基づくプレビュー画像を前記プリンタドライバの初期設定値入力画面上で表示可能としたことを特徴としたものである。
【００１７】
第６の技術手段は、第３又は第４の技術手段において、ユーザにより変更される前又は変更された後の初期設定値に基づくテスト印刷を前記プリンタドライバの初期設定値入力画面上で実行可能としたことを特徴としたものである。
【００１８】
第７の技術手段は、第１〜第６のいずれか１の技術手段において、前記初期設定値入力手段により入力された前記プリンタドライバの初期設定値を記憶する記憶手段を備えたことを特徴としたものである。
【００１９】
第８の技術手段は、プリンタドライバがインストールされた情報処理装置と、該プリンタドライバにより制御される画像形成装置とがネットワークを介して接続された画像形成システムであって、前記画像形成装置は、所定の印刷物を光学的に読み取って画像データを入力する画像読取手段と、該入力した画像データから前記印刷物を印刷したときの印刷設定値を判定する印刷設定値判定手段と、該判定した印刷設定値を前記プリンタドライバの初期設定値として入力する初期設定値入力手段とを備えたことを特徴としたものである。
【発明の効果】
【００２０】
本発明によれば、所定の印刷物を画像形成装置で読み取らせることにより、ユーザの意図通りにプリンタドライバの初期設定値（印刷条件）を入力設定することができると共に、誤入力を抑制することができる。
【図面の簡単な説明】
【００２１】
【図１】本発明の一実施形態に係る画像形成システムの構成例を示す図である。
【図２】図１に示した管理者ＰＣ及びＭＦＰの構成例を示すブロック図である。
【図３】両面、２ｕｐ、カラー、Ａ４の印刷設定値により印刷された印刷物の一例を示す図である。
【図４】図２に示した画像読取部の要部構成例を示す断面図である。
【図５】図２に示した原稿種別自動判定部の詳細構成例を示すブロック図である。
【図６】図２に示した画像処理部の詳細構成例を示すブロック図である。
【図７】最大最小濃度差と繁雑度との関係の一例を示すグラフである。
【図８】文字矩形判定部による文字矩形判定処理の一例について説明するための図である。
【図９】矩形ブロックの一例を示す図である。
【図１０】図８における矩形ブロックの管理状態の一例を説明するため図である。
【図１１】矩形を確定する処理の一例について説明するための図である。
【図１２】図１１における矩形を確定する処理の一例を説明するための図である。
【図１３】図１１における矩形を確定する処理の一例を説明するための図である。
【図１４】確定矩形の状態の一例を示す図である。
【図１５】白レベル判定部が実行する白レベル判定処理について説明するための図である。
【図１６】ＭＦＰの表示部に表示される初期設定値入力画面の一例を示す図である。
【図１７】本発明のＭＦＰによる初期設定値入力方法の一例を説明するためのフロー図である。
【図１８】管理者ＰＣでの初期設定値更新処理の一例を説明するためのフロー図である。
【図１９】管理者ＰＣに表示される初期設定値変更画面の一例を示す図である。
【発明を実施するための形態】
【００２２】
以下、添付図面を参照しながら、本発明の画像形成装置及び画像形成システムに係る好適な実施の形態について説明する。
【００２３】
図１は、本発明の一実施形態に係る画像形成システムの構成例を示す図で、図中、１は情報処理装置の一例である管理者ＰＣ（パーソナルコンピュータ）、２は画像形成装置の一例であるデジタル複合機（以下、ＭＦＰという）、３１〜３５はクライアントＰＣ、４はＬＡＮ(Local Area Network)等のネットワークを示す。管理者ＰＣ１、ＭＦＰ２、及びクライアントＰＣ３１〜３５（以下、クライアントＰＣ３ともいう）は、ネットワーク４を介して相互に接続されており、ＭＦＰ２は、管理者ＰＣ１またはクライアントＰＣ３からの指示に基づいて印刷等の画像形成処理を実行する。
【００２４】
管理者ＰＣ１及びクライアントＰＣ３は、汎用的なコンピュータで構成され、ＭＦＰ２で印刷処理を行うために必要なプリンタドライバが予めインストールされている。これらのプリンタドライバにはデフォルトとなる初期設定値が設定されており、ユーザは管理者ＰＣ１またはクライアントＰＣ３から画像形成を行う際に、プリンタドライバの初期設定値をそのまま使用して、あるいは、印刷条件に応じて初期設定値を変更して印刷処理を行うことができる。
【００２５】
図２は、図１に示した管理者ＰＣ及びＭＦＰの構成例を示すブロック図である。ここでは管理者ＰＣ１の構成を代表例として説明するが、他のクライアントＰＣ３についても基本的に同様の構成とする。また、画像形成装置としてＭＦＰ２を例示して説明するが、この例に限定されず、ＰＣにインストールされたプリンタドライバにより制御可能な単機能なプリンタ装置であってもよい。
【００２６】
本例のＭＦＰ２は、プリンタ機能、コピー機能、ファクシミリ機能、スキャナ機能などの複数の機能を備えた複合機として構成される。ＭＦＰ２は、データの印刷処理を行う画像形成部２１と、ＭＦＰ２が備える各機能を制御する機器制御部２２と、ＭＦＰ２の制御情報や設定情報などを記憶するメモリである管理部２３と、ネットワーク４を介して管理者ＰＣ１やクライアントＰＣ３と通信する通信部２４と、各種データを記憶するための記憶手段の一例であるＨＤＤ（ハードディスクドライブ）２５と、ＨＤＤ２５に記憶されたデータを消去する消去部２６と、データに対して各種画像処理を施すための画像処理部２７と、ユーザによる操作入力を受け付ける操作部２８と、原稿画像を電子的に読み取る画像読取部２９と、原稿の種別を自動的に判別する原稿種別自動判別部３０とを備える。
【００２７】
また、画像形成部２１は、ＬＳＵ（Laser Scanning Unit：レーザ走査ユニット）などの印字部２１ａと、画像処理部２７で画像処理されたデータを一時的に保持する揮発性メモリ２１ｂとを備えている。
【００２８】
また、操作部２８は、ＬＣＤ（Liquid Crystal Display：液晶ディスプレイ）などの表示部２８ａと、タッチパネルを介してユーザからの操作入力を受け付けるタッチパネル部２８ｂと、各種操作キーやテンキーなどの入力キー群で構成される入力キー２８ｃとを備えており、ユーザは操作部２８を操作することにより、ＭＦＰ２に対して操作の入力や、各種設定の入力を行うことができる。
【００２９】
以下、ＭＦＰ２が搭載している画像処理モードに関する動作例について簡単に説明する。
（コピーモード）
ＭＦＰ２を複写機として利用する場合には、画像読取部２９で読み取られた原稿のデータが、画像形成部２１により複写物として出力される。
【００３０】
画像読取部２９には、図示しないＣＣＤ（Charge Coupled Device：電荷結合素子）が備えられており、読み取り位置にセットされた原稿の画像を電子的に読み取ることができる。そして、読み取られた原稿のデータは、揮発性メモリ２１ｂ上に出力データとして完成され、一旦ＨＤＤ２５へ記憶される。原稿が複数ある場合は、この読み取り、記憶の動作が繰り返される。その後、操作部２８から指示された処理モードに基づいて、ＨＤＤ２５に記憶されたデータが適切なタイミングで順次読み出されて揮発性メモリ２１ｂに送られる。そして、印字部２１ａへの書き込みタイミングに合わせてデータが揮発性メモリ２１ｂから印字部２１ａへと転送される。
【００３１】
（プリンタモード）
次に、ＭＦＰ２をプリンタとして利用する場合には、通信部２４から受信したデータが揮発性メモリ２１ｂなどを介して画像形成部２１から出力される。なお、管理者ＰＣ１またはクライアントＰＣ３にはプリンタドライバがインストールされており、各ＰＣからＭＦＰ２のプリンタ機能を制御することができる。
【００３２】
通信部２４は、有線あるいは無線を利用してネットワーク４と接続されており、ネットワーク４上に接続された管理者ＰＣ１やクライアントＰＣ３からデータを受信する。このように受信されたデータは、出力するデータとしてページ単位に揮発性メモリ２１ｂに送られ、必要に応じて一旦ＨＤＤ２５へ記憶される。そして、データは、再びＨＤＤ２５から揮発性メモリ２１ｂに送られ、前述した複写機として利用する場合と同様にして印字部２１ａへと転送される。
【００３３】
（スキャナモード）
また、ＭＦＰ２をネットワークスキャナとして利用する場合には、画像読取部２９において読み取られた原稿のデータを、通信部２４からネットワーク４を介して管理者ＰＣ１またはクライアントＰＣ３へ送信することができる。ここでも、画像読取部２９に備えられたＣＣＤにより原稿を電子的に読み取る。そして、読み取られた原稿のデータは、揮発性メモリ２１ｂ上に出力データとして完成され、一旦ＨＤＤ２５へ記憶される。そして、このデータは再びＨＤＤ２５から揮発性メモリ２１ｂに送られ、操作部２８を介して指示された送信先との通信を確立させた上で、電子メール等を利用して通信部２４から目的の送信先へと送信される。なお、管理者ＰＣ１またはクライアントＰＣ３にスキャナドライバをインストールしておくことで、各ＰＣからＭＦＰ２のスキャナ機能を制御することができる。
【００３４】
（ファクシミリモード）
ＭＦＰ２をファクシミリ装置として利用する場合、通信部２４は、ネットワーク４を介してファクシミリ装置と接続することができる。また、通信部２４がモデム機能を備えている場合には、電話回線を介してファクシミリ装置との接続が可能となる。なお、管理者ＰＣ１またはクライアントＰＣ３にＦＡＸドライバをインストールしておくことで、各ＰＣからＭＦＰ２のファクシミリ機能を制御することができる。
【００３５】
本実施形態に係るＭＦＰ２の各構成部は、機器制御部２２により制御され、操作部２８に設けられた入力キー群などの入力キー２８ｃからの操作指示を監視すると共に、表示部２８ａを介してＭＦＰ２の状態に関する情報などのユーザに通知すべき情報を的確に案内表示する。また、管理部２３には、機器制御部２２により制御されている各構成部に関する情報が管理されており、これら情報をもとに、機器制御部２２がＭＦＰ２全体の動作を制御する。
【００３６】
図２において、管理者ＰＣ１は、例えば、汎用的なコンピュータで構成され、クライアントＰＣ１の動作を制御するＣＰＵ１１と、制御プログラムなどの実行領域となるＲＡＭ１２と、制御プログラムやデータなどを格納するＲＯＭ１３と、ＨＤＤなどで構成される記憶部１４と、マウスやキーボードなどのポインティングデバイスで構成される入力部１５と、ＬＣＤなどの表示部１６と、ネットワーク４に接続する通信インタフェースである通信部１７と、プリンタなどの外部機器にデータを出力する出力部１８と、これら各部を相互に接続するシステムバス１９とで構成される。ＭＦＰ２で印刷処理を実行するために必要なプリンタドライバ１４ａは、例えば記憶部１４に記憶されており、印刷実行時にＣＰＵ１１がＲＡＭ１２に読み出して実行する。
【００３７】
本発明の主たる特徴部分は、所定の印刷物をＭＦＰ２で読み取らせることにより、ユーザの意図通りにプリンタドライバ１４ａの初期設定値（印刷条件）を入力設定できるようにすると共に、誤入力を抑制することにある。このための構成として、ＭＦＰ２は、印刷物（原稿）を光学的に読み取って画像データを入力する画像読取手段に相当する画像読取部２９と、入力した画像データから印刷物を印刷したときの印刷設定値を判定する印刷設定値判定手段と、判定した印刷設定値をプリンタドライバ１４ａの初期設定値として入力する初期設定値入力手段とを備える。印刷設定値判定手段は、画像読取部２９、原稿種別自動判別部３０、画像処理部２７、及び機器制御部２２により実現される。また、初期設定値入力手段は、機器制御部２２及び操作部２８により実現される。
【００３８】
例えば、ＭＦＰ２は、図３に示すような印刷物を画像読取部２９で読み取って画像データを入力し、この画像データから印刷物を印刷したときの印刷設定値を判定するようにすればよい。印刷設定値判定手段は、印刷物を印刷したときの印刷設定値として、用紙サイズ、白黒又はカラー、集約印刷、片面又は両面の各設定値の少なくとも１つ以上を判定することができる。この印刷設定値判定手段による具体的な判定方法については後述の図４〜図１５で説明する。
【００３９】
図３は、両面、２ｕｐ、カラー、Ａ４の印刷設定値により印刷された印刷物の一例を示す図で、図中、５は印刷物を示す。システム管理者等はこのような印刷物を複数種類予め準備しておき、所望の印刷物をＭＦＰ２で読み取らせるだけで、この印刷物を印刷したときの印刷設定値をプリンタドライバ１４ａの初期設定値として入力設定することができる。
【００４０】
具体的には、ユーザが操作部２８から初期設定値入力画面（後述の図１６）の表示指示を行うと、表示部２８ａに印刷物をセットするように促すメッセージが表示される。ユーザは例えば図３に示す印刷物５をＭＦＰ２にセットし、読み取り開始を指示すると、画像読取部２９が印刷物５を読み取って画像データを入力する。そして、印刷設定値判定手段は、画像読取部２９により入力された画像データから、印刷物５を印刷したときの印刷設定値を判定する。印刷物５の場合、両面、２ｕｐ、カラー、Ａ４と判定される。
【００４１】
初期設定値入力手段は、印刷設定値判定手段で判定した印刷設定値を、プリンタドライバ１４ａの初期設定値入力画面に設定する。印刷物５の場合、初期設定値入力画面の“片面／両面”、“集約印刷”、“白黒／カラー”、“用紙サイズ”の各項目に対して、それぞれ両面、２ｕｐ、カラー、Ａ４が設定される。そして、初期設定値入力画面に設定された初期設定値はユーザにより適宜変更できるようにしている。ユーザによる初期設定値の変更は操作部２８のタッチパネル部２８ｂや入力キー２８ｃなどから行うことができる。
【００４２】
上記において、印刷物５から取得された各印刷設定値（両面、２ｕｐ、カラー、Ａ４）がプリンタドライバ１４ａの初期設定値に流用される。そして、これら片面／両面、集約印刷、白黒／カラー、用紙サイズ以外の項目の印刷設定値については、システム管理者等のユーザが適宜入力するようにすればよい。このようにして、プリンタドライバ１４ａの初期設定値の入力を容易にすると共に、誤入力を抑制することができる。例えば、印刷物５から前述のエコ印刷のための印刷設定値が取得された場合、この印刷設定値をそのままプリンタドライバ１４ａの初期設定値に流用してしまうことも可能となる。
【００４３】
また、ＭＦＰ２には、機能毎の設定値（プリンタ機能の場合、印刷部数、片面／両面、集約印刷、用紙サイズ、白黒／カラー、排紙トレイ、給紙カセット、濃度、仕上げなど）が格納されているが、印刷物５から取得された各印刷設定値を、ＭＦＰ２の設定値として設定することができる。例えば、プリンタ機能やコピー機能の場合、上記の片面／両面、集約印刷、白黒／カラー、用紙サイズの各設定値を持っているため、これらの項目の各設定値として、印刷物５から取得された各印刷設定値を設定することができる。
【００４４】
ここで、印刷設定値判定手段は、印刷物を印刷したときの印刷設定値として、用紙サイズ、白黒／カラー、集約印刷、片面／両面の各設定値の少なくとも１つ以上を判定することができる。以下、図４に基づいて印刷設定値判定手段による用紙サイズの判定方法の具体例について説明する。
【００４５】
図４は、図２に示した画像読取部２９の要部構成例を示す断面図である。この画像読取部２９は、大きく分けて、原稿載置トレイ２９１から原稿排出トレイ２９２へ至る原稿搬送路２９３と、原稿の第１面（表面）の画像を読み取る第１の画像読取手段２９４と、原稿の第２面（裏面）の画像を読み取る第２の画像読取手段２９５とを備えている。原稿は、原稿搬送路２９３中を、原稿載置トレイ２９１から原稿排出トレイ２９２へ向けて搬送される。原稿の搬送方向において原稿搬送路２９３の上流側端部にピックアップローラ２９６及び捌きローラ２９７が配置され、原稿載置トレイ２９１上に積載された原稿がピックアップローラ２９６及び捌きローラ２９７によって１枚ずつ原稿搬送路２９３へ供給される。また、原稿の搬送方向において原稿搬送路２９３の下流側端部に排出ローラ２９８が配置され、原稿搬送路２９３を搬送されてきた原稿は排出ローラ２９８によって原稿排出トレイ２９２へ排出される。
【００４６】
原稿搬送路２９３の中間には、第１の画像読取手段２９４による画像読取位置Ａと、第２の画像読取手段２９５による画像読取位置Ｂとが設けられている。原稿の搬送方向における画像読取位置Ａの上流側には、搬送ローラ２９９，３００、および原稿搬送路２９３の湾曲部３０１が、原稿の搬送方向に沿ってこの順序で配置されている。搬送ローラ２９９，３００はそれぞれ、図示しない原稿搬送モータによって駆動され、原稿を画像読取位置Ａへ向けて搬送する。湾曲部３０１は、図４において左下方向に凸となる向きに湾曲している。
【００４７】
画像読取位置Ａと画像読取位置Ｂとの間の原稿搬送路２９３には、上向きに凸の屈曲部３０２と、下向きに凸の屈曲部３０３とが設けられている。屈曲部３０２には、従動ローラ３０４が配置され、屈曲部３０３の上流側の近傍には搬送ローラ３０５が配置されている。この搬送ローラ３０５は、原稿搬送モータによって駆動され、原稿を画像読取位置Ｂへ向けて搬送する。
【００４８】
第１の画像読取手段２９４は、露光ランプ２９４ａ及び第１の反射ミラー２９４ｂを備えた第１の走査ユニット２９４ｃと、第２の反射ミラー２９４ｄ及び第３の反射ミラー２９４ｅを備えた第２の走査ユニット２９４ｆと、結像レンズ２９４ｇと、ＣＣＤセンサ２９４ｈとを備えている。露光ランプ２９４ａから照射され原稿の第１面で反射された光は、第１の反射ミラー２９４ｂ、第２の反射ミラー２９４ｄ、及び第３の反射ミラー２９４ｅで順次反射されて結像レンズ２９４ｇに入射する。結像レンズ２９４ｇは、入射した光をＣＣＤセンサ２９４ｈ上に結像させる。ＣＣＤセンサ２９４ｈは、結像レンズ２９４ｇによって結像された光を光電変換して画像データとして読み取る。
【００４９】
第１の走査ユニット２９４ｃ及び第２の走査ユニット２９４ｆはそれぞれ、原稿固定方式で原稿の画像を読み取る際に原稿が載置されるプラテンガラス３０６に沿った副走査方向に変位自在に構成されている。第１の画像読取手段２９４は、第１の走査ユニット２９４ｃ及び第２の走査ユニット２９４ｆを副走査方向に変位させることで、プラテンガラス３０６上に載置され固定された原稿の画像を読み取り、原稿の画像の画像データを取得することができる。
【００５０】
ここで、原稿搬送路２９３を搬送される原稿の画像を読み取る所謂原稿移動方式の画像読取時の第１の走査ユニット２９４ｃ及び第２の走査ユニット２９４ｆの位置が、プラテンガラス３０６上に載置された原稿の画像を読み取る所謂原稿固定方式の画像読取時の第１の走査ユニット２９４ｃ及び第２の走査ユニット２９４ｆのホームポジションに設定されている。
【００５１】
また、画像読取位置Ａには、プラテンガラス３０７が配置されており、露光ランプ２９４ａから発せられた光は、プラテンガラス３０７を透過して原稿に照射される。画像読取位置Ａにおける原稿搬送路２９３のプラテンガラス３０７に対向する壁面には、シェーディング補正に用いられる標準白板３０８が配置されている。
【００５２】
第２の画像読取手段２９５は、露光ランプ２９５ａ、複数の反射ミラー２９５ｂ，２９５ｃ，２９５ｄ，２９５ｅ、結像レンズ２９５ｆ、ＣＣＤセンサ２９５ｇを備えている。露光ランプ２９５ａから照射され原稿の第２面で反射された光は、反射ミラー２９５ｂ〜２９５ｅで順次反射されて結像レンズ２９５ｆに入射する。結像レンズ２９５ｆは、入射した光をＣＣＤセンサ２９５ｇ上に結像させる。ＣＣＤセンサ２９５ｇは、結像レンズ２９５ｆによって結像された光を光電変換して画像データとして読み取る。ＣＣＤセンサ２と略同一の読取解像度を有するＣＣＤセンサが用いられる。
【００５３】
図４に示したように、画像読取部２９は、原稿の表面及び裏面を読み取るために独立した第１の画像読取手段２９４，第２の画像読取手段２９５を備えているため、原稿を搬送しながら原稿の両面を読み取ることができる。原稿が画像読取位置Ａに搬送された際に、第１の画像読取手段２９４において、ＣＣＤセンサ２９４ｈにより読み取った原稿の主走査方向の画素数をカウントすることにより、読み取り原稿の幅を算出することができる。また、原稿の先端部が画像読取位置Ａで検知された時点から原稿の後端部が画像読取位置Ａを通過するまでの原稿搬送のパルス数をカウントすることにより、読み取り原稿の長さを算出することができる。
【００５４】
上記により、原稿の幅と長さを算出することにより、原稿の用紙サイズを判定することができる。このように用紙サイズの判定処理は、画像読取部２９及び機器制御部２２により実行される。
【００５５】
次に、図５に基づいて印刷設定値判定手段による白黒／カラー，片面／両面の判定方法の具体例について説明する。
【００５６】
図５は、図２に示した原稿種別自動判定部３０の詳細構成例を示すブロック図である。図中、原稿種別自動判別部３０は、原稿種別判定部３１、カラーモノクロ判定部３２、及びブランク原稿判定部３３で構成される。この原稿種別判定部３１は、画像読取部２９にて読み取られた原稿の種別の判定を行う。ここで、判定される原稿の種別としては、文字原稿、印刷写真原稿、文字と印刷写真とが混在した文字印刷写真原稿等がある。
【００５７】
また、原稿種別自動判別部３０は、上記原稿種別判定部３１に加え、上記画像データに基づき、読み取られた原稿がカラー原稿であるか白黒原稿であるかの判別を行う処理である自動カラー判別処理（ＡＣＳ：Auto Color Selection）を行うカラーモノクロ判定部３２と、ブランク原稿であるか否か（無地の原稿であるか否か）の判定処理を行うブランク原稿判定部３３とを備えている。そして、原稿種別自動判別部３０から出力されるＲＧＢの画像データと、カラーモノクロ判定部３２による判定結果を示すカラーモノクロ判定信号と、原稿種別判定部３１による判定結果を示す原稿種別判定信号と、ブランク原稿判定部３３による判定結果を示すブランク原稿判定信号とが、後段の画像処理部２７に入力されるようになっている。
【００５８】
上記において、原稿種別自動判別部３０が備えるカラーモノクロ判定部３２により、原稿が白黒なのか、カラーなのかを判定することができる。また、ブランク原稿判定部３３により、原稿の表面及び裏面それぞれについてブランクであるか否かを判定することができる。これにより、原稿が片面なのか、両面なのかを判定することが可能となる。このように白黒／カラー，片面／両面の判定処理は、原稿種別自動判別部３０及び機器制御部２２により実行される。
【００５９】
次に、図６〜図１５に基づいて印刷設定値判定手段による集約印刷の判定方法の具体例について説明する。本例では印刷領域間の余白を検出する方法を用いた場合について説明するが、これに限定されるものではなく、例えば、各頁に付加された頁番号を検出する方法や、集約領域間に付加された仕切り線を検出する方法などを用いるようにしてもよい。
【００６０】
図６は、図２に示した画像処理部２７の詳細構成例を示すブロック図である。図中、画像処理部２７は、領域分離部２７１、文字矩形判定部２７２、及び白レベル判定部２７３で構成される。領域分離部２７１は、画像読取部２９で原稿を読み取って入力した画像データを所定の領域（文字領域）に分離するための処理部である。領域分離部２７１は、画像データの領域を分離するために、連結度２７１ａ、繁雑度２７１ｂ、及び最大最小濃度差２７１ｃをパラメータとして持っている。
【００６１】
ここで、連結度２７１ａを求めるには、まず、領域を分離する場合の判定領域において、濃度を任意の閾値で２値化する。そして、当該濃度の濃い値（大きな値）が、縦横斜めに連続してつながっている最大の長さを連結度２７１ａとする。ここで、連結度２７１ａが大きい場合には文字として判定される。
【００６２】
また、繁雑度２７１ｂとは、領域を分離する場合の判定領域において、隣の画素の濃度差を加算したものをいう。
【００６３】
繁雑度２７１ｂは、具体的に以下のようにして求めることができる。すなわち、後述の図９に示す座標毎の画素濃度をＤ（ｘ，ｙ）とすると、繁雑度は隣画素の濃度差を示す。
【００６４】
【数１】
2010284802.tif 000003
【００６５】
【数２】
2010284802.tif 000004
【００６６】
繁雑度２７１ｂ＝（主走査方向繁雑度＋副走査方向繁雑度）／２
【００６７】
上記式により繁雑度２７１ｂを算出することができる。ここで、繁雑度２７１ｂが大きいと、網点画像として判定される。
【００６８】
また、最大最小濃度差２７１ｃは、領域を分離する場合の判定領域において、最大濃度と最小濃度の濃度差のことをいう。当該最大最小濃度差２７１ｃが大きい場合には文字として判定し、小さい場合には写真として判定される。
【００６９】
文字矩形判定部２７２は、文字判定された空間を矩形にし、当該矩形の左上座標と、右上座標を管理するための処理部である。
【００７０】
白レベル判定部２７３は、画像データの白い部分（白領域、余白）を判定するための処理部である。具体的には、主走査と副走査との各々で、白判定を初期値として持っている。そして、白以外の画像が入ってくれば、白判定の初期値を有効画像に判定する動作（処理）を実行する。
【００７１】
まず、領域分離部２７１による領域分離処理について説明する。領域分離処理は、連結度２７１ａ、繁雑度２７１ｂ、及び最大最小濃度差２７１ｃに基づいて、画像データを領域に切り分ける処理であり、領域分離の判定領域としては、例えば処理画素を中心に７×７画素程度を使用して判定する。
【００７２】
ここで、図７は、最大最小濃度差２７１ｃと、繁雑度２７１ｂとの関係の一例を示すグラフである。最大最小濃度差２７１ｃが大きいほど、下地と文字の濃度差が大きくなる傾向があるため、文字の可能性が高くなる。一方、網点画像は、ドットが多数存在して、下地とドット部との濃度変化が激しいため、隣接画素の濃度差の平均である繁雑度２７１ｂが大きくなる。よって、繁雑度２７１ｂが高いと、網点判定の可能性が高くなる。一方、写真は、濃度が滑らかに変化するので、最大最小濃度差２７１ｃも繁雑度２７１ｂも小さくなる。
【００７３】
また、連結度２７１ａが高いと、文字の可能性が高くなるため、連結度２７１ａの結果である連結平均長と、繁雑度２７１ｂの隣接画素の濃度差平均値と、最大最小濃度差２７１ｃの３つの入力から、判定結果として、文字（０）・網点（１）・写真（２）・その他（３）のように、数字化して出力して、判定結果を得る。
【００７４】
続いて、文字矩形判定部２７２による文字矩形判定処理について図８を用いて説明する。まず、文字の周りを矩形で囲み、その一辺の長いほうの画素数からフォントサイズを算出する。具体的には、フォントサイズ＝Ａ（任意の値）×文字の矩形の画素数にて算出される。ここでは、例えば、フォントの1ドットを７５ｄｐｉと定義する。文字をスキャンする解像度を６００ｄｐｉとすると、上記の任意の値Ａは、Ａ＝７５／６００と算出することができる。
【００７５】
ここで、文字判定の場合は、文字の矩形ブロックとして記憶する。例えば、図９に示す矩形ブロックの場合、左上座標（Ｘｓ、Ｙｓ）と、右下座標（Ｘｅ、Ｙｅ）とが記憶される。
【００７６】
図８における矩形ブロックであれば、例えば図１０に示す状態で管理される。すなわち、アドレス１には、「晴」を示す座標（左上座標「３，２」−右下座標（１５，１４））が記憶され、アドレス２には、「れ」を示す座標（左上座標「２０，２」−「３３，１４」）が記憶される。
【００７７】
矩形を確定する処理について、図１１の場合を例として説明する。まず、図１１の主走査方向（１〜１８画素方向）にドットがあるか確認して、ドットがあれば、確定前の矩形座標として、左上座標（Ｘｓ、Ｙｓ）と、右下座標（Ｘｅ、Ｙｅ）を保存する。そして、その保存座標が、他の確定前の矩形座標の主走査座標ＸｓからＸｅの間の値と、1つ隣りに存在していれば、矩形を結合する。
【００７８】
具体的には、条件として、「現在走査しているライン（現ライン数）−Ｙｅ＝１」を満たしていれば、確定前の矩形を確定矩形とする（条件１）。さらに、主走査Ｘｓ、Ｘｅが１つ隣である（隣接している）場合には、矩形を結合する（条件２）。このとき、左上座標（Ｘｓ、Ｙｓ）は最小値を選択し、右下座標（Ｘｅ、Ｙｅ）は最大値を選択する。
【００７９】
図１１の例の場合、まず１ライン目を走査すると、（Ｘ、Ｙ）＝（２、１）にドットを検出する。したがって、図１２（Ａ）に示すように、確定前矩形として、左上座標（Ｘｓ=２, Ｙｓ=１）と、右下座標（Ｘｅ=２, Ｙｅ=１）とを矩形１として、保存する。
【００８０】
続いて、２ライン目を走査すると、（Ｘ、Ｙ）＝（１２、２）にドットを検出する。したがって、図１２（Ｂ）に示すように、確定前矩形として、左上座標（Ｘｓ=１２, Ｙｓ=２）と、右下座標（Ｘｅ=１２, Ｙｅ=２）とを矩形２として、保存する。
【００８１】
ここで、２ライン目の走査終了時に、確定前矩形の矩形１が、条件１を満たしている（現ライン数（２）−Ｙｅ（１）＝１）。したがって、図１２（Ｃ）に示すように、矩形１が確定矩形となり、現在の矩形２が矩形１へ移動する。
【００８２】
ここで、確定矩形の様子を図１２（Ｄ）に示す。図１２（Ｄ）では、確定矩形１と、確定矩形１のｘ辺長（「１」）と、ｙ辺長（「１」）とが保存されている。
【００８３】
同様に、図１３（Ａ）に示すように、３ライン目を走査し、左上座標（Ｘｓ=１０, Ｙｓ=３）と、右下座標（Ｘｅ=１０、Ｙｅ=３）とを確定前の矩形２として、保存する。また、図１３（Ｂ）に示すように、左上座標（Ｘｓ=１１、Ｙｓ=３）と、右下座標（Ｘｅ=１１、 Ｙｅ=３）とを確定前の矩形３として、保存する。
【００８４】
ここで、Ｘｓ、Ｘｅを比較すると、矩形１〜３に保存されている値は条件２を満たしている。そこで、矩形１から矩形３は結合して保存される。すなわち、図１３（Ｃ）に示すように、最小値が左上画素（Ｘｓ＝１０、Ｙｓ＝２）として、最大値が右下画素（Ｘｅ＝１２、Ｙｅ＝３）として、矩形１に保存される。
【００８５】
図１３（Ｄ）は、１５ライン終了時の確定矩形を示す。また、図１４は確定矩形の状態を示す図である。そして、主走査の辺の長さは、Ｘｅ−Ｘｓ＋１、副走査方向の辺の長さは、Ｙｅ−Ｙｓ＋１で算出することができる。確定矩形２の場合、主走査の辺長（画素数）が“７”と算出される。
【００８６】
なお、上述の条件式１及び２に用いた値“１”を、“２”あるいはそれ以上の値にすると、文字判定ミスや、文字の部首などの造りにより辺長が短くなることを防ぐことができる。例えば、条件式１において「現在走査しているライン（現ライン数）−Ｙｅ＝２」とすると、図１４に示す確定矩形２が確定矩形４と結合され、副走査方向の辺長（画素数）が“１３”となり、より文字に近い辺長となることがわかる。
【００８７】
ここで、画素の処理順は、前述の図８に示す点線矢印の向きに処理される。すなわち、画素の処理は主走査方向（図８の１行目の左側から右側に向かって）に処理を行う。そして、新しく文字として判定される矩形部が出現すると、文字の矩形ブロックとして割り当てる。
【００８８】
また、矩形ブロック同士が隣り合わせになった場合、さらにブロックを１つの矩形として矩形ブロック同士を結合する。この矩形ブロックの結合はラインとラインとの間で行うようにするとよい。すなわち、所定の間隔で並んでいる文字は同じ矩形ブロックと判定し、１つのブロックとして結合する。
【００８９】
続いて、白レベル判定部２７３が実行する白レベル判定処理について説明する。白レベル判定処理は、図１５（Ａ）に示すように、主走査と副走査にそれぞれ白レベル判定メモリを設け、初期値を白レベル値（ここでは「１」）にセットする。そして、それぞれの画素が「白」以外であれば、その値を有効画像判定値（ここでは「０」）に置き換える。そして、主走査方向及び副走査方向ともに「１」となる画素は、白状態、すなわち余白として判定される。
【００９０】
そして、機器制御部２２が画像データの余白部分の識別処理を行う。具体的には、上記の主走査用白レベル判定メモリ及び副走査用白レベル判定メモリを参照し、余白部分を判定する。そして、余白と判定された部分の分布状態に基づいて集約印刷（Ｎ-Ｕｐ）であるか否かを判定し、そのＮ数を特定することができる。具体的には、図１５（Ｂ）の例の場合、画像読取部２９で読み取られた原稿の画像データは領域分離部２７１及び文字矩形判定部２７２により矩形ブロック１〜４に分割される。そして、白レベル判定部２７３が、主走査用白レベル判定メモリ及び副走査用白レベル判定メモリに対して、これら矩形ブロック１〜４に対応する画素の判定値を「０」に置き換え、画素の判定値が「１」の部分を余白と判定する。本例の場合、この余白部分の分布状態により４-ＵＰと判定することができる。
【００９１】
このように集約印刷の判定処理は、画像処理部２７及び機器制御部２２が印刷領域間の余白部分を検出することにより行なわれる。
【００９２】
図１６は、ＭＦＰ２の表示部２８ａに表示される初期設定値入力画面の一例を示す図で、図中、４０は初期設定値入力画面、４１はプレビューボタン、４２はテスト印刷ボタン、４３はプレビュー表示領域、４４はＯＫボタン、４５はキャンセルボタンを示す。前述したように、ＭＦＰ２は、管理者等のユーザにより操作され、メニュー等から「初期設定値入力」が選択指示されると、前述の方法により図３の印刷物５を読み取って取得された印刷設定値を、プリンタドライバ１４ａの初期設定値として、プリンタドライバ１４ａの初期設定値入力画面４０に設定した状態で表示部２８ａに表示する、印刷物５の場合、片面／両面、集約印刷、白黒／カラー、用紙サイズの各項目の印刷設定値として、“両面”、“２ｕｐ”、“カラー”、“Ａ４”が初期設定値入力画面４０に設定・表示される。
【００９３】
管理者は、上記の片面／両面、集約印刷、白黒／カラー、用紙サイズ以外の項目について印刷設定値を適宜入力し、初期設定値入力画面４０に設定された初期設定値でよければ、ＯＫボタン４４を押下して、これをプリンタドライバの初期設定値としてＭＦＰ２のＨＤＤ２５に記憶する。また、そうでない場合、キャンセルボタン４５を押下して、初期設定値入力処理を中止する。また、初期設定値入力画面４０に設定された初期設定値を変更したい場合、管理者は、操作部２８のタッチパネル部２８ｂや入力キー２８ｃを操作して、所望の初期設定値に変更した後に、ＯＫボタン４４を押下する。この場合、変更後の初期設定値がＨＤＤ２５に記憶される。
【００９４】
このように、管理者はＭＦＰ２を操作して、タッチパネル部２８ｂ上に初期設定値入力画面４０を表示させ、初期設定値入力画面４０においてプリンタドライバ１４ａの初期設定値を適宜調整した後、この初期設定値をＭＦＰ２に記憶させることができる。
【００９５】
ここで、プリンタ機能による印刷実行時には、管理者ＰＣ１またはクライアントＰＣ３からプリンタドライバ１４ａを介してＭＦＰ２にアクセスされる。このため、各ＰＣ（プリンタドライバ１４ａ）は、上記のように、ＭＦＰ２の内部に初期設定値を記憶させておくことで、サーバ装置等の外部機器にわざわざアクセスする必要がなく、プリンタドライバ１４ａの初期設定値の更新判定を容易に行うことができる。例えば、プリンタドライバ１４ａがＭＦＰ２にアクセスしたときに、プリンタドライバ１４ａに設定されている初期設定値と、ＭＦＰ２に記憶された初期設定値とを項目毎に比較することにより、更新されているか否かを判定することができる。そして、更新されていると判定した場合、その更新された項目について、プリンタドライバ１４ａに設定されている初期設定値を、ＭＦＰ２に記憶された初期設定値に更新するようにすればよい。
【００９６】
また、ＭＦＰ２は、初期設定値の更新があった場合に、管理者による操作等に従って、ＭＦＰ２に記憶された初期設定値を管理者ＰＣ１に送信することもできる。管理者ＰＣ１では、ＭＦＰ２から受信した初期設定値を、管理者による操作に基づいて、プリンタドライバ１４ａの初期設定値として設定することができる。そして、管理者は、管理者ＰＣ１を操作して、上記のようにして設定したプリンタドライバ１４ａの初期設定値を他のクライアントＰＣ３に対して送信し、各クライアントＰＣ３に設定させるようにしてもよい。
【００９７】
このように、ＭＦＰ２からプリンタドライバ１４ａの初期設定値を入力する際に、印刷物の印刷設定値がセットされた状態で初期設定値入力画面４０を表示させることができるため、管理者等のユーザが不慣れな場合であっても、初期設定値の入力設定に戸惑うこともなく、また、実際の印刷物の印刷設定値を流用することで、ユーザの意図通りに設定することができ、初期設定値の誤入力を防止することができる。
【００９８】
図１６において、初期設定値入力画面４０上のプレビューボタン４１が押下されると、ユーザにより変更される前又は変更された後の初期設定値に基づくプレビュー画像をプレビュー表示領域４３に表示させることができる。また、初期設定値入力画面４０上のテスト印刷ボタン４２が押下されると、ユーザにより変更される前又は変更された後の初期設定値に基づくテスト印刷を実行することができる。この場合、ＭＦＰ２はプレビュー機能とテスト印刷機能を備えているものとする。
【００９９】
管理者ＰＣ１などのＰＣからプリンタドライバ１４ａの初期設定値を入力する場合には、入力した初期設定値による実際の印刷物をイメージしにくいが、ＭＦＰ２により、プリンタドライバ１４ａの初期設定値の入力を行う場合には、その場でテスト印刷を行って印刷物の確認を行ったり、プレビュー機能により印刷イメージを確認したりといったことが簡単に行える。また、ＭＦＰ２で印刷結果を見ながら初期設定値を入力することができるため、濃度、色調、余白、綴じ代などの細かな設定も簡単に行うことができる。
【０１００】
図１７は、本発明のＭＦＰ２による初期設定値入力方法の一例を説明するためのフロー図である。管理者等のユーザは、ＭＦＰ２の操作部２８を操作して、管理者ＰＣ１にインストールされたプリンタドライバ１４ａの初期設定値入力画面４０（図１６）を表示するように指示する（ステップＳ１）。この表示指示を受けてＭＦＰ２は、原稿（印刷物５）を読み取って、印刷物５を印刷したときの印刷設定値を判定し（ステップＳ２）、判定した印刷設定値を、初期設定値入力画面４０に設定・表示する（ステップＳ３）。
【０１０１】
次に、ユーザは、操作部２８のタッチパネル部２８ｂに表示された初期設定値入力画面４０上で、所望の初期設定値に調整を行い（ステップＳ４）、ＭＦＰ２は、初期設定値を反映させるか否かを判定する（ステップＳ５）。すなわち、初期設定値入力画面４０のＯＫボタン４４が押下された場合（ＹＥＳの場合）、初期設定値入力画面４０に入力された初期設定値を、プリンタドライバ１４ａの初期設定値としてＨＤＤ２５に記憶する（ステップＳ６）。また、ステップＳ５において、初期設定値入力画面４０のＯＫボタン４４が押下されない場合（ＮＯの場合）、ステップＳ４に戻り処理を繰り返すが、キャンセルボタン４５が押下された場合、あるいは、ＯＫボタン４４が所定時間押下されないことを検知した場合には、初期設定値入力画面４０の表示を終了させ、初期設定値入力処理を中止してもよい。
【０１０２】
図１８は、管理者ＰＣ１での初期設定値更新処理の一例を説明するためのフロー図である。本例では、ＭＦＰ２で入力設定されたプリンタドライバ１４ａの初期設定値を管理者ＰＣ１に送信する場合について説明する。まず、管理者ＰＣ１は、ＭＦＰ２からプリンタドライバ１４ａの初期設定値を受信したか否かを判定し（ステップＳ１１）、ＭＦＰ２から初期設定値を受信したと判定した場合（ＹＥＳの場合）、プリンタドライバ１４ａに設定されている初期設定値と、ＭＦＰ２から取得した初期設定値とが異なるか否かを判定する（ステップＳ１２）。また、上記ステップＳ１１において、ＭＦＰ２から初期設定値を受信していないと判定した場合（ＮＯの場合）、ステップＳ１１で受信待ち状態に移行する。
【０１０３】
次に、管理者ＰＣ１は、ステップＳ１２において、プリンタドライバ１４ａの初期設定値と、ＭＦＰ２の初期設定値とが同じと判定した場合（ＮＯの場合）、設定変更なしをユーザに通知し（ステップＳ１３）、ステップＳ１７に移行する。また、ステップＳ１２において、プリンタドライバ１４ａの初期設定値と、ＭＦＰ２の初期設定値とが異なると判定した場合（ＹＥＳの場合）、図１９に示すような初期設定値変更画面５０を表示し（ステップＳ１４）、管理者ＰＣ１は、初期設定値を反映させるか否かを判定する（ステップＳ１５）。すなわち、初期設定値変更画面５０のＯＫボタン５１が押下された場合（ＹＥＳの場合）、初期設定値変更画面５０で変更された初期設定値をプリンタドライバ１４ａに設定する（ステップＳ１６）。また、ステップＳ１５において、初期設定値変更画面５０のキャンセルボタン５２が押下された場合、あるいは、ＯＫボタン５１が所定時間押下されないことを検知した場合（ＮＯの場合）、初期設定値を変更させず、プリンタドライバ１４ａに設定されている初期設定値をそのまま使用する（ステップＳ１７）。
【０１０４】
上述したように、管理者等のユーザが、例えば、白黒、２-ＵＰ、両面印刷された印刷物をＭＦＰで読み取らせることで、この印刷物と同じ条件で印刷されるように、プリンタドライバの初期設定値を入力設定することができるため、この初期設定値の入力作業の負荷を軽減することができる。
【符号の説明】
【０１０５】
１…管理者ＰＣ、２…ＭＦＰ、３…クライアントＰＣ、４…ネットワーク、５…印刷物、１１…ＣＰＵ、１２…ＲＡＭ、１３…ＲＯＭ、１４…記憶部、１４ａ…プリンタドライバ、１５…入力部、１６…表示部、１７…通信部、１８…出力部、１９…システムバス、２１…画像形成部、２１ａ…印字部、２１ｂ…メモリ、２２…機器制御部、２３…管理部、２４…通信部、２５…ＨＤＤ、２６…消去部、２７…画像処理部、２８…操作部、２８ａ…表示部、２８ｂ…タッチパネル部、２８ｃ…入力キー、２９…画像読取部、３０…原稿種別自動判別部、４０…初期設定値入力画面、５０…初期設定値変更画面。
【図１】
2010284802.tif 000005
【図２】
2010284802.tif 000006
【図３】
2010284802.tif 000007
【図４】
2010284802.tif 000008
【図５】
2010284802.tif 000009
【図６】
2010284802.tif 000010
【図７】
2010284802.tif 000011
【図８】
2010284802.tif 000012
【図９】
2010284802.tif 000013
【図１０】
2010284802.tif 000014
【図１１】
2010284802.tif 000015
【図１２】
2010284802.tif 000016
【図１３】
2010284802.tif 000017
【図１４】
2010284802.tif 000018
【図１５】
2010284802.tif 000019
【図１６】
2010284802.tif 000020
【図１７】
2010284802.tif 000021
【図１８】
2010284802.tif 000022
【図１９】
2010284802.tif 000023